(57)【要約】【課題】  エレベーターの設置される建物の条件に従属することなく、点検台の構成を自由に設計することができようにする。【解決手段】  エレベータの運転を制御する制御装置２を昇降路内で建物の最下階フロアレベルＦＬの付近に設置するエレベーターにおいて、制御装置２を点検するときの足場となる点検台６を釣り合いおもり１に直接設置する。【選択図】  図１
2006176324.tif 000002
【特許請求の範囲】
【請求項１】
エレベータの運転を制御する制御装置を昇降路内で建物の最下階フロアレベルの付近に設置するエレベーターにおいて、
前記制御装置を点検するときの足場となる点検台を釣り合いおもりに直接設置したことを特徴とするエレベーターの制御装置点検台の設置構造。
【請求項２】
前記点検台は、昇降ステップが前記釣り合いおもりの下端よりも下がった位置にあるように当該釣り合いおもりに取り付けられたことを特徴とする請求項１に記載のエレベーターの制御装置点検台の設置構造。
【請求項３】
前記点検台は、その最下位のステップが釣り合いおもりの下端よりも上の位置にあるように取り付けられたことを特徴とする請求項１に記載のエレベーターの制御装置点検台の設置構造。
【請求項４】
前記点検台は、点検作業のステップとする少なくとも一枚の足場板を回動可能に釣り合いおもりに取り付け、固定ビームによって前記足場板を水平に支持する構造としたことを特徴とする請求項３に記載のエレベーターの制御装置点検台の設置構造。
【発明の詳細な説明】
【技術分野】
【０００１】
本発明は、エレベーターの制御装置を昇降路内に設置するエレベーターに係り、特に、エレベーターの制御装置を点検するときの足場となる点検台の設置構造に関する。
【背景技術】
【０００２】
エレベーターを制御するためのエレベータ制御装置（以下、単に制御装置という。）を乗りかごの昇降路内に設置したものがある。この種のエレベータでは、制御装置の設置位置は、ピット内の冠水対策として、建物の最下階のフレアレベルとするのが通例である。
【０００３】
そこで、図５に従来のエレベータの昇降路の下部における制御装置の設置位置を示す。図５において、参照番号１は釣り合いおもりを示し、参照番号２は制御装置を示している。ＦＬは、最下階のフロアレベルを示す。昇降路は、フロアピットＦＬから下がピット３になっており、制御装置２はフロアレベルＦＬと同レベルに設置されている。なお、４は、釣り合いおもり１の緩衝バッファを示し、５はコンペンを示す。
【０００４】
このような制御装置２の設置位置になっているエレベーターの場合、定期点検に際して、制御装置２を点検するには、その足場となる点検台６が必要不可欠である。従来、この種の点検台６は、制御装置２に取り付けられる。
【０００５】
図６に示されるように、この点検台６は、制御装置２の側面から固定ビーム７を垂設し、固定ビームの間の下段から順に昇降ステップ８ａ、８ｂ、点検ステップ９が掛け渡してある踏み段形の台である。作業員は、ピットの底に降りてから、点検台６の昇降ステップ８ａ、８ｂを上って点検ステップ９に上がって、制御装置２を点検することができる。
【発明の開示】
【発明が解決しようとする課題】
【０００６】
しかしながら、最下階のフロアレベルＦＬというのは、建築物のピット３の深さによって決定され、建物ごとに異なった寸法となる。例えば、深いピット３になるほど底から最下階のフロアレベルＦＬまでの高さＰ寸法は大きくなる。
【０００７】
他方、点検台６の方は、エレベーターに共通して同じ寸法、構造のものが使用されるのがふつうである。したがって、深いピット３では、底から点検台６の最下段の昇降ステップ８ａまでの高さ寸法Ｐ1が大きくなり、点検員がその昇降ステップにのぼれなくなっていまう。逆に、Ｐ1寸法を一定にしようとすると、建物ごとにそのピット３の深さに合わせて、点検台を設計することが必要となる。  その場合、深いピット３では、最下段の昇降ステップ８ａの幅であるＢ寸法が増大する。そして、ピット３の幅であるＡ寸法との兼ね合いによっては、点検台とバッファ、点検台とコンペンとが干渉するおそれがある。また、点検台それ自体が強大なものとなっていまい、作業者の点検作業負担が増大してしまう。
【０００８】
そこで、本発明の目的は、前記従来技術の有する問題点を解消し、エレベーターの設置される建物の条件に従属することなく、点検台の構成を自由に設計することができ、また、制御装置の高さが拡大した場合でも作業者の作業負担を増大させないようにするエレベーターの制御装置点検台の設置構造を提供することにある。
【課題を解決するための手段】
【０００９】
前記の目的を達成するために、請求項１に係る発明は、エレベータの運転を制御する制御装置を昇降路内で建物の最下階フロアレベルの付近に設置するエレベーターにおいて、前記制御装置を点検するときの足場となる点検台を釣り合いおもりに直接設置したことを特徴とするものである。
【００１０】
また、請求項２に係る発明は、請求項１の発明において、点検台は、昇降ステップが前記釣り合いおもりの下端よりも下がった位置にあるように当該釣り合いおもりに取り付けられたことを特徴とする。
【００１１】
さらに、請求項３に係る発明は、請求項１の発明において、前記点検台は、その最下位のステップが釣り合いおもりの下端よりも上の位置にあるように取り付けられたことことを特徴とする。
【発明の効果】
【００１２】
請求項１の発明によれば、エレベーターの設置される建物の条件に従属することなく、点検台の構成を自由に設計することができ、また、制御装置の高さが拡大した場合でも作業者の作業負担を増大させることがない。
【００１３】
また、請求項２の発明によれば、釣り合いおもりを点検台への昇降に支障がない位置まで下降させる必要がなくなるとともに、バッファとの干渉を避けることができる。
【００１４】
さらに、請求項３の発明によれば、点検台とピットに設置されたバッファや釣り合いおもりの下側から懸架される周辺部品と干渉するおそれがない。
【発明を実施するための最良の形態】
【００１５】
以下、本発明によるエレベーターの制御装置点検台の設置構造の一実施形態について、添付の図面を参照しながら説明する。  
第１実施形態  
図１は、本発明の第１実施形態を示す。図１において、図５と同一の参照番号は、同一の構成要素を示す。ＦＬは、建物の最下階のフロアレベルを示している。昇降路では、フロアレベルＦＬから下がピット３になっており、制御装置２はフロアレベルＦＬと同レベルに設置されている。  
この第１実施形態では、制御装置２を点検するために、作業員の足場となる点検台６が乗りかごの釣り合いおもり１に直接設置されている。点検台６は、釣り合いおもり１の両側面から固定ビーム７を垂設し、固定ビーム７の間に下段から順に昇降ステップ８ａ、８ｂ、点検ステップ９が掛け渡してある踏み段形の台である。
【００１６】
このような点検台６は、釣り合いおもり１に取り付けられた状態で釣り合いおもり１といっしよに昇降する。図１は、制御装置２を点検するために、ピットの底にいる作業員が点検台６に乗る位置を示している。この場合、昇降ステップ８ｂが釣り合いおもり１の下端よりも下がった位置にあるので、釣り合いおもり１を点検台６への昇降に支障がない位置まで下降させる必要はなく、点検台６の下段の昇降ステップ８ａは作業員が足をかけられる高さにある。また、この昇降ステップ８ａの高さは、前記釣り合いおもり１の下端よりも下がった位置で、かつバッファ４に干渉しない位置である。図２は、作業員が点検台６の点検ステップ９に乗って、制御装置２の正面で停止した状態を示す。実際の点検作業では、点検作業の進行に応じて釣り合いおもり１を任意の位置で停止させればよい。
【００１７】
このように、点検台６を釣り合いおもり１に設置しているので、建物ごとにそのピットの深さなどの寸法に合わせて、点検台を設計する必要がなく、建物の条件に依存しない共通の仕様の点検台６を汎用的に利用することができる。
【００１８】
第２実施形態  
次に、本発明の第２実施形態による点検台の設置構造について、図３並びに図４を参照しながら説明する。  
この第２実施形態の点検台１０は、第１実施形態のような複数の踏み段のあるものとは違って、点検作業の足場に用いる一枚の足場板１１を回動可能に釣り合いおもり１に取り付け、固定ビーム１２ａ、１２ｂによって足場板１１を水平な姿勢で支持する構造としたものである。固定ビーム１２ａ、１２ｂの基端部は、釣り合いおもり１の側面に回動自在にヒンジ結合されており、固定ビーム１２ａ、１２ｂの先端には係合部１３ａ、１３ｂが取り付けられている。この係合部１３ａ、１３ｂは、足場板１１にある鉤部に引っ掛けて足場板１１が水平に支持されるようになっている。この状態では、図３に示すように、足場板１１は、釣り合いおもりの下端とほぼ同じ水平面上にある。
【００１９】
これに対して、図４に示すように、固定ビーム１２ａ、１２ｂの係合部１３ａ、１３ｂを取り外して、点検台１０を閉じた状態にすることもできる。この場合、釣り合いおもり１には、足場板１１を閉じたまま保持する金具が取り付けられている。
【００２０】
以上のように構成される第２実施形態によれば、第１実施形態の点検台と違って、昇降ステップ８ａ、８ｂが不要となるなど、構成部品の大幅に簡素化することができる。
【００２１】
また、制御装置２の点検中はもちろんのこと、エレベータの使用中も、点検台１０がピットに設置されたバッファや釣り合いおもり１の下側から懸架されるコンペンなどと干渉するおそれがない。
【図面の簡単な説明】
【００２２】
【図１】本発明によるエレベーターの制御装置点検台の設置構造の一実施形態を示す説明図。
【図２】図１の点検台が制御装置の正面に停止している状態の説明図。
【図３】本発明によるエレベーターの制御装置点検台の設置構造の他の実施形態において点検台が閉じた状態の説明図。
【図４】本発明によるエレベーターの制御装置点検台の設置構造の他の実施形態において点検台が開いた状態の説明図。
【図５】従来のエレベータ制御装置を点検する点検台の設置状態を示す説明図。
【図６】図５の点検台の正面を示す説明図。
【符号の説明】
【００２３】
１  釣り合いおもり
２  制御装置
３  ピット
４  バッファ
５  コンペン
６  点検台
７  固定ビーム
８ａ、８ｂ  昇降ステップ
９  点検ステップ
１０  点検台
１１  足場板
１２ａ、１２ｂ  固定ビーム
ＦＬ  フロアレベル
【図１】
2006176324.tif 000003
【図２】
2006176324.tif 000004
【図３】
2006176324.tif 000005
【図４】
2006176324.tif 000006
【図５】
2006176324.tif 000007
【図６】
2006176324.tif 000008